(57)【要約】【課題】  複合ケーブルへの取り付けの自動化に適した構造を有するコネクタを提供すること。【解決手段】  コネクタ２０は、複数の端子３０とハウジング４０とを備える。端子３０は、第１ケーブル７２に対応する第１端子３２と、第２ケーブル７４に対応する第２端子３４とを含む。端子３０の夫々は、接触部３２１，３４１と、被保持部３２３，３４３と、接続部３２５，３４５とを有する。接触部３２１，３４１は、コネクタ２０が相手側コネクタ８０に接続されたときに相手側接触部８２１に接触する。被保持部３２３，３４３は、ハウジング４０に保持される。接続部３２５，３４５は、コネクタ２０が複合ケーブル６０に取り付けられたとき、対応するケーブル７０の被覆部７０３を貫通して導体７０１と接続する。第１端子３２の接続部３２５は、被保持部３２３から前後方向に突出している。第２端子３４の接続部３４５は、被保持部３４３から直交方向に突出している。【選択図】図２
2020202157.tif 000002
【特許請求の範囲】
【請求項１】
複数のケーブルを有する複合ケーブルに取り付けられるコネクタであって、
前記コネクタは、相手側接触部を有する相手側コネクタと前後方向に沿って接続及び分離可能であり、
前記コネクタは、複数の端子と、ハウジングとを備えており、
前記端子は前記ケーブルに夫々対応しており、
前記ケーブルの夫々は、導体と、前記導体を被覆する被覆部とを有しており、
前記端子の夫々は、接触部と、被保持部と、接続部とを有しており、
前記接触部は、前記コネクタが前記相手側コネクタに接続されたときに前記相手側接触部に接触する部分であり、
前記被保持部は、前記ハウジングに保持される部分であり、
前記接続部は、前記コネクタが前記複合ケーブルに取り付けられたときに、対応する前記ケーブルの前記被覆部を貫通して前記導体と接続する部分であり、
前記ケーブルは、少なくとも一つの第１ケーブルと、少なくとも一つの第２ケーブルとを含んでおり、
前記端子は、前記少なくとも一つの第１ケーブルに対応する少なくとも一つの第１端子と、前記少なくとも一つの第２ケーブルに対応する少なくとも一つの第２端子とを含んでおり、
前記少なくとも一つの第１端子の前記接続部は、前記被保持部から前後方向に突出しており、
前記少なくとも一つの第２端子の前記接続部は、前記被保持部から前後方向と直交する直交方向に突出している
コネクタ。
【請求項２】
請求項１に記載のコネクタであって、
前記ハウジングは、第１ハウジングと、前記第１ハウジングと組み合わせられる第２ハウジングとを備えており、
前記少なくとも一つの第１端子は、前記第１ハウジングに保持されており、
前記少なくとも一つの第２端子は、前記第２ハウジングに保持されている
コネクタ。
【請求項３】
請求項１又は請求項２に記載のコネクタであって、
前記コネクタは、更に、ロケータを有しており、
前記少なくとも一つの第１ケーブルは、複数の第１ケーブルを有しており、
前記少なくとも一つの第２ケーブルは、複数の第２ケーブルを有しており、
前記少なくとも一つの第１端子は、複数の第１端子を有しており、
前記少なくとも一つの第２端子は、複数の第２端子を有しており、
前記第１ケーブルの夫々は、第１被整列部を有しており、
前記第２ケーブルの夫々は、第２被整列部を有しており、
前記ロケータは、第１整列部と、第２整列部とを有しており、
前記ハウジングは、第１対向部と、第２対向部とを有しており、
前記ハウジングと前記ロケータとが組み合わされた状態において、前記第１対向部は、前記前後方向において前記第１整列部と対向しており、且つ前記第１端子の前記接続部は、前記第１対向部から前記前後方向に沿って前記第１整列部に向かって突出しており、
前記ハウジングと前記ロケータとが組み合わされた状態において、前記第２対向部は、前記直交方向において前記第２整列部と対向しており、且つ前記第２端子の前記接続部は、前記第２対向部から前記直交方向に沿って前記第２整列部に向かって突出しており、
前記コネクタが前記複合ケーブルに取り付けられたとき、前記第１ケーブルの前記第１被整列部は、前記前後方向と前記直交方向との双方と直交する水平方向に延びるように、前記第１整列部と前記第１対向部とに挟み込まれており、
前記コネクタが前記複合ケーブルに取り付けられたとき、前記第２ケーブルの前記第２被整列部は、前記前後方向に延びるように、前記第２整列部と前記第２対向部とに挟み込まれている
コネクタ。
【請求項４】
請求項３に記載のコネクタであって、
前記第１端子の前記接続部は、前記直交方向よりも前記水平方向において大きなサイズを有しており、
前記第２端子の前記接続部は、前記水平方向よりも前記前後方向において大きなサイズを有している
コネクタ。
【請求項５】
複合ケーブルと、前記複合ケーブルに取り付けられた請求項１から請求項４のいずれか一つに記載されたコネクタとを有するケーブルハーネスであって、
前記ケーブルは、少なくとも一つの第１ケーブルと、少なくとも一つ第２ケーブルとを含んでおり、
前記少なくとも一つの第１端子の前記接続部は、前記少なくとも一つの第１ケーブルの前記被覆部を貫通して前記導体と接続しており、
前記少なくとも一つの第２端子の前記接続部は、前記少なくとも一つの第２ケーブルの前記被覆部を貫通して前記導体と接続している
ケーブルハーネス。
【請求項６】
請求項５に記載のケーブルハーネスであって、
前記少なくとも一つの第１ケーブルは、複数の第１ケーブルを有しており、
前記第１ケーブルは、複数組の第１フラットケーブルを構成しており、
前記少なくとも一つの第２ケーブルは、複数の第２ケーブルを有しており、
前記第２ケーブルは、複数組の第２フラットケーブルを構成しており、
前記複合ケーブルにおいて、前記第２フラットケーブルは、前記第１フラットケーブルの周囲に配置されている
ケーブルハーネス。
【発明の詳細な説明】
【技術分野】
【０００１】
本発明は、コネクタに関し、特に複合ケーブルに取り付けられるコネクタに関する。
【背景技術】
【０００２】
特許文献１は、複数のケーブルに取り付けられるコネクタの一例を開示している。図１１に示されるように、特許文献１のコネクタ９０は、ハウジング９２と、ハウジング９２と組み合わされるブロック９４とを有している。ブロック９４は、ハウジング９２に対して上方から取り付けられる。ブロック９４には、複数のケーブル（図示せず）の端部（図示せず）を夫々受容する複数の受容穴９４０が形成されている。
【０００３】
図１２から理解されるように、ハウジング９２は、複数のケーブル（図示せず）に夫々対応する複数のコンタクト９２０を備えている。コンタクト９２０の夫々は、相手側コネクタ（図示せず）の相手側コンタクト（図示せず）と接触する接触部９２２を有している。また、コンタクト９２０は、対応するケーブルと接続される接続部９２４を有している。ハウジング９２とブロック９４とが組み合わされた状態において、接続部９２４は、受容穴９４０内に突出している。
【０００４】
図１２から理解されるように、受容穴９４０にケーブル（図示せず）の先端（図示せず）を挿入した状態で、ハウジング９２の上方からブロック９４を取り付けると、接続部９２４がケーブルに食い込む。その結果、接続部９２４は、ケーブルの被覆部（図示せず）を突き抜けて導体（図示せず）に達する。こうして、コンタクト９２０は複数のケーブルに取り付けられる。
【先行技術文献】
【特許文献】
【０００５】
【特許文献１】特開２００４−１５２６６７号公報
【発明の概要】
【発明が解決しようとする課題】
【０００６】
特許文献１のコネクタ９０を複数のケーブルに取り付ける場合、ケーブルを一本ずつブロック９４の受容穴９４０に挿入する必要がある。そのため、特許文献１のコネクタは、ケーブルへの取り付けの自動化に適していない。
【０００７】
加えて、特許文献１のコネクタ９０は、同一のケーブルに取り付けられるように構成されている。そのため、特許文献１のコネクタ９０は、信号ケーブルと電源ケーブルのような径の異なるケーブルを有する複合ケーブルへの取り付けに適していない。
【０００８】
そこで、本発明は、複合ケーブルへの取り付けの自動化に適した構造を有するコネクタを提供することを目的とする。
【課題を解決するための手段】
【０００９】
本発明は、第１のコネクタとして、複数のケーブルを有する複合ケーブルに取り付けられるコネクタであって、
前記コネクタは、相手側接触部を有する相手側コネクタと前後方向に沿って接続及び分離可能であり、
前記コネクタは、複数の端子と、ハウジングとを備えており、
前記端子は前記ケーブルに夫々対応しており、
前記ケーブルの夫々は、導体と、前記導体を被覆する被覆部とを有しており、
前記端子の夫々は、接触部と、被保持部と、接続部とを有しており、
前記接触部は、前記コネクタが前記相手側コネクタに接続されたときに前記相手側接触部に接触する部分であり、
前記被保持部は、前記ハウジングに保持される部分であり、
前記接続部は、前記コネクタが前記複合ケーブルに取り付けられたときに、対応する前記ケーブルの前記被覆部を貫通して前記導体と接続する部分であり、
前記ケーブルは、少なくとも一つの第１ケーブルと、少なくとも一つの第２ケーブルとを含んでおり、
前記端子は、前記少なくとも一つの第１ケーブルに対応する少なくとも一つの第１端子と、前記少なくとも一つの第２ケーブルに対応する少なくとも一つの第２端子とを含んでおり、
前記少なくとも一つの第１端子の前記接続部は、前記被保持部から前後方向に突出しており、
前記少なくとも一つの第２端子の前記接続部は、前記被保持部から前後方向と直交する直交方向に突出している
コネクタを提供する。
【００１０】
また、本発明は、第２のコネクタとして、第１のコネクタであって、
前記ハウジングは、第１ハウジングと、前記第１ハウジングと組み合わせられる第２ハウジングとを備えており、
前記少なくとも一つの第１端子は、前記第１ハウジングに保持されており、
前記少なくとも一つの第２端子は、前記第２ハウジングに保持されている
コネクタを提供する。
【００１１】
また、本発明は、第３のコネクタとして、第１又は第２のコネクタであって、
前記コネクタは、更に、ロケータを有しており、
前記少なくとも一つの第１ケーブルは、複数の第１ケーブルを有しており、
前記少なくとも一つの第２ケーブルは、複数の第２ケーブルを有しており、
前記少なくとも一つの第１端子は、複数の第１端子を有しており、
前記少なくとも一つの第２端子は、複数の第２端子を有しており、
前記第１ケーブルの夫々は、第１被整列部を有しており、
前記第２ケーブルの夫々は、第２被整列部を有しており、
前記ロケータは、第１整列部と、第２整列部とを有しており、
前記ハウジングは、第１対向部と、第２対向部とを有しており、
前記ハウジングと前記ロケータとが組み合わされた状態において、前記第１対向部は、前記前後方向において前記第１整列部と対向しており、且つ前記第１端子の前記接続部は、前記第１対向部から前記前後方向に沿って前記第１整列部に向かって突出しており、
前記ハウジングと前記ロケータとが組み合わされた状態において、前記第２対向部は、前記直交方向において前記第２整列部と対向しており、且つ前記第２端子の前記接続部は、前記第２対向部から前記直交方向に沿って前記第２整列部に向かって突出しており、
前記コネクタが前記複合ケーブルに取り付けられたとき、前記第１ケーブルの前記第１被整列部は、前記前後方向と前記直交方向との双方と直交する水平方向に延びるように、前記第１整列部と前記第１対向部とに挟み込まれており、
前記コネクタが前記複合ケーブルに取り付けられたとき、前記第２ケーブルの前記第２被整列部は、前記前後方向に延びるように、前記第２整列部と前記第２対向部とに挟み込まれている
コネクタを提供する
【００１２】
また、本発明は、第４のコネクタとして、第３のコネクタであって、
前記第１端子の前記接続部は、前記直交方向よりも前記水平方向において大きなサイズを有しており、
前記第２端子の前記接続部は、前記水平方向よりも前記前後方向において大きなサイズを有している
コネクタを提供する。
【００１３】
更に、本発明は、第１のケーブルハーネスとして、
複合ケーブルと、前記複合ケーブルに取り付けられた請求項１から請求項４のいずれか一つに記載されたコネクタとを有するケーブルハーネスであって、
前記ケーブルは、少なくとも一つの第１ケーブルと、少なくとも一つ第２ケーブルとを含んでおり、
前記少なくとも一つの第１端子の前記接続部は、前記少なくとも一つの第１ケーブルの前記被覆部を貫通して前記導体と接続しており、
前記少なくとも一つの第２端子の前記接続部は、前記少なくとも一つの第２ケーブルの前記被覆部を貫通して前記導体と接続している
ケーブルハーネスを提供する。
【００１４】
また、本発明は、第２のケーブルハーネスとして、第１のケーブルハーネスであって、
前記少なくとも一つの第１ケーブルは、複数の第１ケーブルを有しており、
前記第１ケーブルは、複数組の第１フラットケーブルを構成しており、
前記少なくとも一つの第２ケーブルは、複数の第２ケーブルを有しており、
前記第２ケーブルは、複数組の第２フラットケーブルを構成しており、
前記複合ケーブルにおいて、前記第２フラットケーブルは、前記第１フラットケーブルの周囲に配置されている
ケーブルハーネスを提供する。
【発明の効果】
【００１５】
本発明のコネクタにおいて、端子は、第１ケーブルに対応する第１端子と第２ケーブルに対応する第２端子とを含んでいる。第１端子の接続部は、被保持部から前後方向に突出しており、第２端子の接続部は、被保持部から直交方向に突出している。第１端子の接続部と第２端子の接続部とが互いに異なる方向へ突出しているので、第１端子の第１ケーブルへの接続と第２端子の第２ケーブルへの接続とを別々に行うことができる。このコネクタの構造は、複合ケーブルへの取り付けの自動化に適している。
【図面の簡単な説明】
【００１６】
【図１】本発明の一実施の形態によるケーブルハーネスを示す斜視図である。複合ケーブルは端部のみ示されている。
【図２】図１のケーブルハーネスを示す分解斜視図である。
【図３】図２のケーブルハーネスに含まれる複合ケーブルの端部を示す斜視図である。
【図４】図３の複合ケーブルを示すＡ−Ａ線断面図である。
【図５】図２のケーブルハーネスに含まれるコネクタのロケータを示す斜視図である。
【図６】図２のケーブルハーネスに含まれるコネクタの第１ハウジングを示す背面斜視図である。
【図７】図２のケーブルハーネスに含まれるコネクタの第２ハウジングを示す背面斜視図である。
【図８】図１のケーブルハーネスと相手側コネクタとを示す一部切り欠き斜視断面図である。ケーブルハーネスに含まれるコネクタと相手コネクタとは互いに嵌合している。
【図９】図１のケーブルハーネスと相手側コネクタとを示す別の一部切り欠き斜視断面図である。ケーブルハーネスに含まれるコネクタと相手コネクタとは互いに嵌合している。
【図１０】図１のケーブルハーネスと示す一部切り欠き斜視断面図である。
【図１１】特許文献１のコネクタを示す斜視図である。
【図１２】図１１のコネクタを示すＢ−Ｂ線端面図である。
【発明を実施するための形態】
【００１７】
図１を参照すると、本発明の一実施の形態によるケーブルハーネス１０は、複合ケーブル６０と、複合ケーブル６０の一端に取り付けられるコネクタ２０とを備えている。複合ケーブル６０は、複数のケーブル７０と、複数のケーブル７０を覆う外被６２とを有している。コネクタ２０は、ケーブル７０に夫々対応する複数の端子３０を備えている。
【００１８】
図２を参照すると、コネクタ２０は、端子３０を保持するハウジング４０と、ハウジング４０が取り付けられるロケータ５０とを備えている。ハウジング４０は、第１ハウジング４２と、一対の第２ハウジング４４とからなる。第１ハウジング４２は、ロケータ５０に取り付けられるように構成されている。第２ハウジング４４は、第１ハウジング４２と組み合わされるように構成されている。第１ハウジング４２をロケータ５０に取り付けた後、第２ハウジング４４を第１ハウジング４２に取り付けることによって、複合ケーブル６０に取り付けられたコネクタ２０が構成される。
【００１９】
図２から図４に示されるように、ケーブル７０は、少なくとも一つの第１ケーブル７２と、少なくとも一つの第２ケーブル７４とを含んでいる。本実施の形態において、ケーブル７０は、複数の第１ケーブル７２と複数の第２ケーブル７４とを含んでいる。詳しくは、本実施の形態において、第１ケーブル７２の数は４本であり、第２ケーブル７４の数は１６本である。
【００２０】
図２に示されるように、端子３０は、少なくとも一つの第１端子３２と、少なくとも一つの第２端子３４とを含んでいる。本実施の形態において、端子３０は、複数の第１端子３２と複数の第２端子３４とを含んでいる。詳しくは、本実施の形態において、第１端子３２の数は４個であり、第２端子３４の数は１６個である。第１端子３２は、第１ケーブル７２に対応するものであり、第２端子３４は、第２ケーブル７４に対応するものである。また、第１端子３２は、第１ハウジング４２に保持されており、第２端子３４は第２ハウジング４４に保持されている。
【００２１】
図８及び図９から理解されるように、コネクタ２０は、相手側コネクタ８０と前後方向に沿って接続及び分離可能なものである。本実施の形態において、前後方向は、Ｙ方向である。−Ｙ方向が前方であり、＋Ｙ方向が後方である。
【００２２】
図１、図８及び図９から理解されるように、相手側コネクタ８０は、端子３０と夫々対応する複数の相手側端子８２を有している。相手側端子８２の夫々は、対応する端子３０に接触する相手側接触部８２１を有している。相手側コネクタ８０は、また、相手側端子８２を保持する相手側ハウジング８４と、相手側ハウジング８４を囲う相手側シェル８６とを備えている。
【００２３】
図４を参照すると、第１ケーブル７２と第２ケーブル７４とは同一の構成を有している。詳しくは、ケーブル７０の夫々は、導体７０１と、導体７０１を被覆する被覆部７０３とを有している。本実施の形態において、導体７０１は撚り線である。また、本実施の形態において、第１ケーブル７２は電源ケーブル、第２ケーブル７４は信号ケーブルである。但し、本発明はこれに限定されない。第１ケーブル７２の用途と第２ケーブル７４の用途は同じであってもよい。第１ケーブル７２と第２ケーブル７４とは、径及び構成の少なくとも一方において互いに相違していればよい。
【００２４】
図３及び図４から理解されるように、ケーブル７０の夫々は、他のケーブル７０の少なくとも一つと連結部７０５によって連結され、フラットケーブルを構成している。本実施の形態において、第１ケーブル７２は、複数組の第１フラットケーブル７３を構成し、第２ケーブル７４は、複数組の第２フラットケーブル７５を構成している。詳しくは、本実施の形態において、第１フラットケーブル７３の組数は二つであり、第２フラットケーブル７５の組数は四つである。但し、本発明は、これに限られない。第１ケーブル７２は、少なくとも一つの第１フラットケーブル７３を構成してもよいし、第１フラットケーブル７３を構成していなくてもよい。同様に、第２ケーブル７４は、少なくとも一つの第２フラットケーブル７５を構成してもよいし、第２フラットケーブル７５を構成しなくてもよい。
【００２５】
図４に示されるように、第１フラットケーブル７３は、複合ケーブル６０の中心部に配置されている。第２フラットケーブル７５は、第１フラットケーブル７３の周囲に配置されている。本実施の形態において、第１フラットケーブル７３と第２フラットケーブル７５との間には、中間被膜６４が設けられている。換言すると、第１フラットケーブル７３は、中間被膜６４で覆われている。但し、本発明は、これに限られない。中間被膜６４は、設けられていなくてもよい。
【００２６】
図３に示されるように、複合ケーブル６０の端部において、第１フラットケーブル７３及び第２フラットケーブル７５は露出している。換言すると、複合ケーブル６０の端部において、外被６２は除去されている。複合ケーブル６０が前後方向に延びているとき、第２フラットケーブル７５の端部は、前後方向と直交する直交方向において、二つのグループに分けられている。そして、第１フラットケーブル７３の端部は、直交方向において、第２フラットケーブル７５の二つのグループの間に位置している。換言すると、第２フラットケーブル７５の端部は、直交方向において、第１フラットケーブル７３の端部の外側に配置されている。第１フラットケーブル７３の端部は、前後方向及び直交方向の双方と直交する水平方向において、外側へ向かって延びている。また、第２フラットケーブル７５の端部は、前後方向において、前方へ延びている。本実施の形態において、直交方向はＺ方向であり、水平方向はＸ方向である。なお、本実施の形態において、＋Ｚ方向を上方、−Ｚ方向を下方ということがある。
【００２７】
図５を参照すると、ロケータ５０は、絶縁樹脂から成り、主部５２と、上部５４と、下部５６とを有している。ロケータ５０は、前後方向に延びる仮想中心軸に関して回転対称の形状を有している。詳しくは、ロケータ５０は、仮想中心軸を含みかつ直交方向に垂直な平面に関して面対称な形状を有するとともに、仮想中心軸を含みかつ水平方向に垂直な平面に関して面対称な形状を有している。
【００２８】
図５から理解されるように、ロケータ５０の主部５２は、水平方向に長い形状を有している。また、主部５２は、水平方向に沿って見たとき、くさび状の形状を有している。主部５２の中央部には、主部５２を前後方向に貫通する貫通孔５２１が形成されている。図２から理解されるように、貫通孔５２１には、第１フラットケーブル７３が挿入される。また、主部５２は、第２フラットケーブル７５を、直交方向において二つのグルーブに分ける。
【００２９】
図５に示されるように、ロケータ５０の主部５２は、また、複数の第１整列部５２３を有している。本実施の形態において、第１整列部５２３の数は四つである。また、第１整列部５２３は、水平方向に延び、かつ概ね前方を向く曲面である。直交方向に隣り合う二つの第１整列部５２３の間には、隆起部５２５が設けられている。本実施の形態において、第１整列部５２３は、第１ケーブル７２に夫々対応している。但し、本発明は、これに限定されない。第１整列部５２３は、第１フラットケーブル７３に夫々対応するように、隆起部５２５の無い平らな底面を持つ凹部として形成されてよい。
【００３０】
図５に示されるように、ロケータ５０の上部５４及び下部５６の夫々は、複数の第２整列部５４１又は５６１を有している。本実施の形態において、上部５４の第２整列部５４１の数は二つであり、下部５６の第２整列部５６１の数も二つである。本実施の形態において、第２整列部５４１，５６１は、第２フラットケーブル７５に夫々対応している。但し、本発明は、これに限定されない。第２整列部５４１，５６１は、第１整列部５２３と同様に、第２ケーブル７４に夫々対応するように構成されていてもよい。あるいは、第２整列部５４１，５６１の夫々は、複数の第２フラットケーブル７５に対応するように構成されてもよい。
【００３１】
図５及び図１０から理解されるように、ロケータ５０の側面５８の夫々には、一対の突起５８１が設けられている。突起５８１は、水平方向において外側へ突出している。各側面５８上の突起５８１は、直交方向において互いに離れて配置されている。突起５８１の夫々は、斜め前方へ向かう傾斜面を有している。
【００３２】
図２に示されるように、ロケータ５０は、複合ケーブル６０の端部に取り付けられる。図２及び図５から理解されるように、第１ケーブル７２の夫々は、対応する第１整列部５２３に受容される第１被整列部７２１を有している。また、第２ケーブル７４の夫々は、対応する第２整列部５４１又は５６１に受容される第２被整列部７４１を有している。第１ケーブル７２の第１被整列部７２１は、第１整列部５２３に夫々受容されて、整列させられる。同様に、第２ケーブル７４の第２被整列部７４１は、第２整列部５４１，５６１に受容されて、整列させられる。
【００３３】
図２及び図６に示されるように、第１ハウジング４２は、絶縁性樹脂から成り、嵌合部４２１と、一対の側壁部４２５と、後壁部４２９と、タブ４３３とを備えている。また、第１ハウジング４２は、前後方向に延びる仮想中心軸に関して回転対称の形状を有している。詳しくは、第１ハウジング４２は、仮想中心軸を含みかつ直交方向に垂直な平面に関して面対称な形状を有するとともに、仮想中心軸を含みかつ水平方向に垂直な平面に関して面対称な形状を有している。
【００３４】
図２及び図６から理解されるように、第１ハウジング４２は、４個の第１端子３２を保持している。図８に示されるように、第１端子３２の夫々は、前後方向に延びる細長い金属板からなる。第１端子３２の夫々は、前方から順番に接触部３２１、被保持部３２３及び接続部３２５を有している。接触部３２１は、コネクタ２０が相手側コネクタ８０に接続されたときに相手側接触部８２１に接触する部分である。被保持部３２３は、第１ハウジング４２に保持される部分である。接続部３２５は、コネクタ２０が複合ケーブル６０に取り付けられたとき、対応する第１ケーブル７２の被覆部７０３を貫通して、導体７０１と接続する部分である。接続部３２５は、後方へ向かって細くなるようにテーパーが設けられている。また、接続部３２５は、直交方向よりも水平方向において大きなサイズを有している。換言すると、接続部３２５は、第１ケーブル７２の被保持部３２３が延びる方向において大きいサイズを有している。但し、本発明は、これに限られない。第１端子３２の形状や配置は、第１ケーブル７２との接続に支障がない限り、任意に変更することができる。
【００３５】
図２及び図６に示されるように、嵌合部４２１は、厚板状の形状を有している。嵌合部４２１の上面には、二つの第１端子３２の接触部３２１が部分的に露出している。図８から理解されるように、嵌合部４２１の下面にも、二つの第１端子３２の接触部３２１が部分的に露出している。
【００３６】
図２、図６及び図９から理解されるように、嵌合部４２１には、前後方向に延びる複数の溝４２３が形成されている。溝４２３は、嵌合部４２１の上面及び下面に夫々形成されている。溝４２３は、端子３０に含まれる第２端子３４に夫々対応している。嵌合部４２１の上面及び下面のそれぞれに形成された溝４２３は、水平方向に並んでおり、二つの第１端子３２の間に位置している。但し、本発明はこれに限られない。水平方向において、第１端子３２と溝４２３の並び順は変更することができる。
【００３７】
図２及び図６に示されるように、側壁部４２５は、水平方向において、嵌合部４２１の両側に位置している。また、側壁部４２５は、前後方向において、嵌合部４２１の後部に位置している。側壁部４２５の夫々には、水平方向において外側へ突出する一対の突起４２７が形成されている。各側壁部４２５の突起４２７は、直交方向において互いに離れて配置されている。突起４２７は、直交方向において外側に位置し、斜め上方又は斜め下方へ向かう傾斜面を有している。
【００３８】
図２及び図６に示されるように、後壁部４２９は、前後方向において嵌合部４２１の後方に位置し、水平方向において側壁部４２５の間に位置している。図６に示されるように、後壁部４２９には、一対の第１対向部４３１が形成されている。換言すると、第１ハウジング４２は、第１対向部４３１を有している。本実施の形態において、第１対向部４３１の夫々は、水平方向に延びる凹みである。換言すると、第１対向部４３１の夫々は、水平方向に延び、かつ概ね後方を向く曲面である。但し、本発明は、これに限定されない。第１対向部４３１は、平面で構成されてもよい。第１対向部４３１の夫々は、二本の第１ケーブル７２に対応している。第１対向部４３１の夫々から、二つの第１端子３２の接続部３２５が前後方向において後方へ突出している。
【００３９】
図６に示されるように、タブ４３３は、側壁部４２５の夫々の上部及び下部から、前後方向において後方へ突出している。水平方向から見て、タブ４３３の夫々形状は矩形である。タブ４３３の夫々には、タブ４３３を水平方向に貫通する矩形の孔４３５が形成されている。
【００４０】
図２及び図８から理解されるように、第１ハウジング４２は、ロケータ５０の前方からロケータ５０に取り付けられる。図２及び図１０から理解されるように、第１ハウジング４２のタブ４３３に形成された孔４３５は、ロケータ５０の突起５８１に夫々対応している。突起５８１の傾斜面は、タブ４３３が弾性変形して部分的に突起５８１を乗り越えるのを容易にする。第１ハウジング４２がロケータ５０に取り付けられたとき、ロケータ５０の突起５８１は、第１ハウジング４２の孔４３５に夫々受容される。
【００４１】
図２及び図７を参照すると、第２ハウジング４４の夫々は、絶縁樹脂から成り、基部４４１と、前壁部４４３と、一対の側壁部４４７とを備えている。基部４４１は、水平方向に長い板状の形状を有している。基部４４１はまた、直交方向へ向かう第２対向部４４５を有している。前壁部４４３は、基部４４１の前縁から直交方向に突出している。第２対向部４４５は、前壁部４４３の後方に位置している。本実施の形態において、第２ハウジング４４には、斜め前方に向かう傾斜面が基部４４１から前壁部４４３に渡って形成されている。側壁部４４７は、水平方向において、前壁部４４３の外側に位置している。側壁部４４７は、前壁部４４３から離れている。側壁部４４７の夫々には、水平方向に側壁部４４７を貫通する孔４４９が形成されている。
【００４２】
図２及び図７に示されるように、第２ハウジング４４の夫々は、８個の第２端子３４を保持している。図９を参照すると、第２端子３４の夫々は、薄い金属板からなる。第２端子３４の夫々は、接触部３４１と、被保持部３４３と、接続部３４５とを有している。接触部３４１は、前後方向に延びている。被保持部３４３は、接触部３４１の後端から斜め後方へ延びた後、更に後方へ延びている。接続部３４５は、被保持部３４３の後端から直交方向に突出している。接続部３４５には、テーパーが設けられている。また、接続部３４５は、水平方向よりも前後方向において大きなサイズを有している。換言すると、接続部３４５は、第２ケーブル７４の被保持部３４３が延びる方向において大きいサイズを有している。
【００４３】
図９から理解されるように、第２端子３４の接触部３４１は、コネクタ２０が相手側コネクタ８０に接続されたときに相手側接触部８２１に接触する部分である。被保持部３４３は、第２ハウジング４４に保持される部分である。図７から理解されるように、本実施の形態において、被保持部３４３は、前壁部４４３によって部分的に保持されるとともに、基部４４１によって部分的に保持されている。図９及び図１０に示されるように、接続部３４５は、コネクタ２０が複合ケーブル６０に取り付けられたとき、対応する第２ケーブル７４の被覆部７０３を貫通して、導体７０１と接続する部分である。図１及び図７に示されるように、接続部３４５は、直交方向において、第２ハウジング４４の基部４４１の第２対向部４４５から突出している。
【００４４】
図９に示されるように、本実施の形態において、第２端子３４の夫々は、平らな形状を有している。但し、本発明はこれに限られない。第２端子３４の夫々は、屈曲部を有していてもよい。例えば、第２端子３４の接触部３４１と接続部３４５とが水平方向において異なる位置に位置するように、第２端子３４に屈曲部が設けられてもよい。これにより、第１端子３２と第２端子３４の接触部３４１との水平方向における並び順を変更することができる。また、第２端子３４の接触部３４１の厚み方向が直交方向と一致するように、第２端子３４に屈曲部が設けられてもよい。これにより、接触部３４１が相手側接触部８２１と接触する接触面積を増やすことができる。
【００４５】
図２及び図８から図１０までの図から理解されるように、第２ハウジング４４は、第１ハウジング４２の上方及び下方から夫々第１ハウジング４２と組み合わされる。図１及び図２から理解されるように、第１ハウジング４２の突起４２７は、第２ハウジング４４の孔４４９に夫々対応している。突起４２７の傾斜面は、第２ハウジング４４の側壁部４４７が弾性変形して部分的に突起４２７を乗り越えるのを容易にする。第２ハウジング４４が第１ハウジング４２に取り付けられたとき、第１ハウジング４２の突起４２７は、第２ハウジング４４の孔４４９に受容される。このとき、第２端子３４の夫々は、対応する第１ハウジング４２の溝４２３に部分的に収容される。また、第１ハウジング４２の側壁部４２５の夫々は、いずれかの第２ハウジング４４の前壁部４４３と側壁部４４７との間に部分的に位置する。
【００４６】
図２、図６及び図８から理解されるように、ハウジング４０とロケータ５０とが組み合わされた状態において、第１ハウジング４２の第１対向部４３１は、前後方向においてロケータ５０の第１整列部５２３と対向する。また、第１端子３２の接続部３２５は、第１対向部４３１から前後方向に沿って第１整列部５２３に向かって突出し、かつ前後方向において第１対向部４３１と第１整列部５２３との間に位置している。その結果、コネクタ２０が複合ケーブル６０に取り付けられたとき、第１ケーブル７２の第１被整列部７２１は、水平方向に延びるように、第１対向部４３１と第１整列部５２３とによって挟み込まれる。また、第１端子３２の接続部３２５は、第１ケーブル７２の被覆部７０３を貫通して導体７０１と接続する。
【００４７】
図２、図７、図９及び図１０から理解されるように、ハウジング４０とロケータ５０とが組み合わされた状態において、第２ハウジング４４の第２対向部４４５は、直交方向においてロケータ５０の第２整列部５４１，５６１と対向する。また、第２端子３４の接続部３４５は、第２対向部４４５から直交方向に沿って第２整列部５４１，５６１に向かって突出し、かつ直交方向において第２対向部４４５と第２整列部５４１又は５６１との間に位置している。その結果、コネクタ２０が複合ケーブル６０に取り付けられたとき、第２ケーブル７４の第２被整列部７４１は、前後方向に延びるように、第２対向部４４５と第２整列部５４１，５６１とによって挟み込まれる。また、第２端子３４の接続部３４５は、第２ケーブル７４の被覆部７０３を貫通して導体７０１と接続する。図８及び図９から理解されるように、本実施形態では第１端子３２の接続部３２５は、第２端子３４の接続部３４５よりも前後方向において前方に位置している。しかしながら、本発明は、これに限られない。第１端子３２の接続部３２５及び第２端子３４の接続部３４５の前後方向における位置は、ハウジング４０やロケータ５０の形状を変更することにより変更可能である。
【００４８】
本実施の形態によるコネクタ２０は、ロケータ５０に対して、第１ハウジング４２を一方向へ移動させることにより、第１端子３２を対応する第１ケーブル７２に接続することができる。また、コネクタ２０は、第２ハウジング４４を第１ハウジング４２に対して別の一方向へ移動させることにより、第２端子３４を対応する第２ケーブル７４に接続することができる。このように、第１ケーブル７２及び第２ケーブル７４への接続を単純な工程で別々に行うことができる。それゆえ、本実施の形態によるコネクタ２０は、複合ケーブル６０への取り付けの自動化に適している。
【００４９】
以上、本発明について、いくつかの実施の形態を掲げて具体的に説明してきたが、本発明はこれに限定されるものではなく、種々の変形が可能である。例えば、上記実施の形態によるコネクタ２０は、相手側コネクタ８０と接続及び分離可能なものであったが、コネクタ２０は、ＵＳＢ（Universal Serial Bus）  Ｔｙｐｅ−Ｃコネクタに用いられるパドルカードのように、複合ケーブルとコネクタ部との間を接続するように構成されてもよい。
【符号の説明】
【００５０】
１０    ケーブルハーネス
２０    コネクタ
３０    端子
３２    第１端子
３４    第２端子
３２１，３４１    接触部
３２３，３４３    被保持部
３２５，３４５    接続部
４０    ハウジング
４２    第１ハウジング
４２１    嵌合部
４２３    溝
４２５    側壁部
４２７    突起
４２９    後壁部
４３１    第１対向部
４３３    タブ
４３５    孔
４４    第２ハウジング
４４１    基部
４４３    前壁部
４４５    第２対向部
４４７    側壁部
４４９    孔
５０    ロケータ
５２    主部
５２１    貫通孔
５２３    第１整列部
５２５    隆起部
５４    上部
５４１    第２整列部
５６    下部
５６１    第２整列部
５８    側面
５８１    突起
６０    複合ケーブル
６２    外被
６４    中間被膜
７０    ケーブル
７０１  導体
７０３  被覆部
７０５  連結部
７２    第１ケーブル
７２１    第１被整列部
７３    第１フラットケーブル
７４    第２ケーブル
７４１    第２被整列部
７５    第２フラットケーブル
８０    相手側コネクタ
８２    相手側端子
８２１    相手側接触部
８４    相手側ハウジング
８６    シェル
【図１】
2020202157.tif 000003
【図２】
2020202157.tif 000004
【図３】
2020202157.tif 000005
【図４】
2020202157.tif 000006
【図５】
2020202157.tif 000007
【図６】
2020202157.tif 000008
【図７】
2020202157.tif 000009
【図８】
2020202157.tif 000010
【図９】
2020202157.tif 000011
【図１０】
2020202157.tif 000012
【図１１】
2020202157.tif 000013
【図１２】
2020202157.tif 000014